(57)【要約】      （修正有）【課題】互いの接続強度を強化させ、担持力を向上させる園芸棒を提供する。【解決手段】Ｕ字管である金属管１と、金属管１の外壁を被覆するプラスチック層２とを備えている。金属管の第１端部には雄型頭部が配置され、金属管の第２端部には雌型頭部が配置されている。或いは、金属管の第１端部及び第２端部のそれぞれには、雄型頭部が配置されている。或いは、金属管の第１端部及び第２端部のそれぞれには、雌型頭部が配置されている。雌型頭部は、金属管と同軸であり、内壁に雌ネジを有する中空円柱形の第１接続部、及び、第１接続部と固定接続された嵌合カバーを含む。雄型頭部は、金属管と同軸を有し、雌ネジに適合する雄ネジを外壁に有する円柱形の第２接続部、及び、雄ネジの末端に位置し、第２接続部と固定接続された嵌合ヘッドを含む。【選択図】図３
0003220274.tif 000002
【実用新案登録請求の範囲】
【請求項１】
Ｕ字管である金属管と、前記金属管の外壁を被覆するプラスチック層とを備え、
前記金属管の第１端部には雄型頭部が配置され、前記金属管の第２端部には雌型頭部が配置されており、或いは、
前記金属管の第１端部及び第２端部のそれぞれには、雄型頭部が配置されており、或いは、
前記金属管の第１端部及び第２端部のそれぞれには、雌型頭部が配置されており、
前記雌型頭部は、前記金属管と同軸であり、内壁に雌ネジを有する中空円柱形の第１接続部、及び、前記第１接続部と固定接続された嵌合カバーを含み、
前記雄型頭部は、前記金属管と同軸であり、前記雌ネジに適合する雄ネジを外壁に有する円柱形の第２接続部、及び、前記雄ネジの末端に位置し、前記第２接続部と固定接続された嵌合ヘッドを含み、
前記雄型頭部と前記雌型頭部とが接続されると、前記嵌合ヘッドと前記嵌合カバーとは締まり嵌めによって嵌合されることを特徴とする園芸棒。
【請求項２】
前記嵌合カバーの外壁は傾斜斜面を有することを特徴とする請求項１に記載の園芸棒。
【請求項３】
前記嵌合ヘッドは円柱体であることを特徴とする請求項１に記載の園芸棒。
【請求項４】
前記雄ネジのピッチは、前記第２接続部の直径の２／３であり、前記雄ネジの横断面が台形であり、前記台形の下底辺の長さは、前記第２接続部の直径の１／４であることを特徴とする請求項１に記載の園芸棒。
【請求項５】
前記雌型頭部は、前記第１接続部と固定された第１固定カバーをさらに含み、前記第１固定カバーは、前記第１端部を被覆し、且つ前記第１端部の端部口を封鎖していることを特徴とする請求項１に記載の園芸棒。
【請求項６】
前記雄型頭部は、前記嵌合ヘッドと固定された第２固定カバーをさらに含み、前記第２固定カバーは、前記第２端部を被覆し、且つ前記第２端部の端部口を封鎖していることを特徴とする請求項１に記載の園芸棒。
【請求項７】
前記第２接続部の端部は、円錐形となっていることを特徴とする請求項１に記載の園芸棒。
【請求項８】
前記プラスチック層の外壁には、軸方向に沿って分布する複数の凸部を含む少なくとも１つの補助リブが設けられていることを特徴とする請求項１に記載の園芸棒。
【請求項９】
複数の前記凸部は、前記プラスチック層の軸方向に沿って螺旋状に分布していることを特徴とする請求項８に記載の園芸棒。
【請求項１０】
前記プラスチック層の外径は、３０ミリメートル未満であり、前記金属管の長さは、４メートル未満であることを特徴とする請求項１に記載の園芸棒。
【考案の詳細な説明】
【技術分野】
【０００１】
本考案は、園芸に使用される部材に関し、特に園芸棒に関する。
【背景技術】
【０００２】
農業生産の分野において、農民は通常、木柱や竹竿を使用して、よくあるヘチマ、フジマメ及びトマト等のような蔓植物やクライミング植物の成長を助けるための支柱フレームを組み立てる。これらの木柱又は竹竿は、環境にやさしいが、風雨に曝されると老朽化して破断してしまう。これにより、植物の成長に寄与できなくなる一方で、使い捨てであるため、大量の木柱や竹竿が無駄になる。また、花卉園芸の分野においても、花卉の形を決めるためのフラワースタンドが必要である。
技術的課題
【０００３】
従って、農業生産及び花卉栽培のために特別に設計された園芸棒が登場している。このような園芸棒は、金属管と、金属管を被覆したプラスチック層とを備えており、金属管の両端のそれぞれにプラスチック製ロッドカバーが取り付けられている。１つのプラスチック製ロッドカバーは、土壌に挿入しやすいような円錐状であり、もう１つのプラスチック製ロッドカバーは平面状である。例えば、２０１４年７月２日に公開された、公開番号がＣＮ２０３６７５７８０Ｕである中国実用新案には、金属管と、金属管を被覆したプラスチック層とを備えた高強度の園芸棒が開示されている。金属管の両端は円錐台形であり、プラスチック層の表面は、少なくとも１本が金属管の軸方向に沿って設けられた３〜４本の補助リブを有する。補助リブは、プラスチック層の表面に対して波状となっており、金属管の両端は、それぞれ尖ったカバー及びフラットカバーを有する。この高強度の園芸棒は、金属管の両端が円錐台形となっているため、支柱を打撃する際にプラスチックカバーの損傷をある程度低減できる。しかし、繰り返して使用すると、プラスチックカバーは依然として損傷してしまう。また、この園芸棒は長さが固定されており、ユーザのニーズに応じて様々な長さを有する製品を生産しなければならないため、原材料の調達、生産、廃棄物の処理、輸送等のコストが増加する。
【考案の概要】
【考案が解決しようとする課題】
【０００４】
本考案は、従来技術における技術的問題を解決するための園芸棒を提供する。
【課題を解決するための手段】
【０００５】
上記の技術的問題を解決するための技術的解決手段として、本考案は、Ｕ字管である金属管と、前記金属管の外壁を被覆するプラスチック層とを備えた園芸棒を提供する。
前記金属管の第１端部には雄型頭部が配置され、前記金属管の第２端部には雌型頭部が配置されている。或いは、
前記金属管の第１端部及び第２端部のそれぞれには、雄型頭部が配置されている。或いは、
前記金属管の第１端部及び第２端部のそれぞれには、雌型頭部が配置されている。
【０００６】
前記雌型頭部は、前記金属管と同軸であり、内壁に雌ネジを有する中空円柱形の第１接続部、及び、前記第１接続部と固定接続された嵌合カバーを含む。
【０００７】
前記雄型頭部は、前記金属管と同軸であり、前記雌ネジに適合する雄ネジを外壁に有する円柱形の第２接続部、及び、前記雄ネジの末端に位置し、前記第２接続部と固定接続された嵌合ヘッドを含む。
【０００８】
前記雄型頭部と前記雌型頭部とが接続されると、前記嵌合ヘッドと前記嵌合カバーとは締まり嵌めによって嵌合される。
【０００９】
好ましくは、前記嵌合カバーの外壁は傾斜斜面を有する。
【００１０】
好ましくは、前記嵌合ヘッドは円柱体である。
【００１１】
好ましくは、前記雄ネジのピッチは、前記第２接続部の直径の２／３であり、前記雄ネジの横断面が台形であり、前記台形の下底辺の長さは、前記第２接続部の直径の１／４である。
【００１２】
好ましくは、前記雌型頭部は、前記第１接続部と固定された第１固定カバーをさらに含む。前記第１固定カバーは、前記第１端部を被覆し、且つ前記第１端部の端部口を封鎖している。
【００１３】
好ましくは、前記雄型頭部は、前記嵌合ヘッドと固定された第２固定カバーをさらに含む。前記第２固定カバーは、前記第２端部を被覆し、且つ前記第２端部の端部口を封鎖している。
【００１４】
好ましくは、前記第２接続部の端部は、円錐形となっている。
【００１５】
好ましくは、前記プラスチック層の外壁には、軸方向に沿って分布する複数の凸部を含む少なくとも１つの補助リブが設けられている。
【００１６】
好ましくは、複数の前記凸部は、前記プラスチック層の軸方向に沿って螺旋状に分布している。
【００１７】
好ましくは、前記プラスチック層の外径は、３０ミリメートル未満であり、前記金属管の長さは、４メートル未満である。
【考案の効果】
【００１８】
本考案の有益な効果は、この園芸棒によれば、Ｕ字管の作用によって、２つの独立した園芸棒の間の繋がりが確立され、これにより、互いの接続強度が強化される。また、弓形の端部によって、担持力が向上することである。
【図面の簡単な説明】
【００１９】
以下、図面及び実施例と併せて、本考案について詳細に説明する。
【００２０】
【図１】本考案に係る園芸棒の最適な実施形態の構成概略図である。
【図２】図１におけるＡ箇所の拡大図である。
【図３】本考案に係る園芸棒の部分的に破断させた構成概略図である。
【図４】本考案に係る園芸棒の２つ目の実施形態の最適な実施形態の構成概略図である。
【図５】図４におけるＢ箇所の拡大図である。
【図６】本考案に係る園芸棒の３つ目の実施形態の最適な実施形態の構成概略図である。
【図７】本考案に係る雄ネジの横断面の構成概略図である。
【考案を実施するための形態】
【００２１】
以下、本考案の実施形態について詳細に説明する。実施形態の例は図面に表示され、同一又は類似のすべての表示番号は、同一若しくは類似の部品、又は、同一若しくは類似の機能を有する部品を示す。参考用図面と共に記載される以下の実施形態は、本考案を説明するための例示的なもののみであり、本考案を限定するものではない。一方、本考案に係る実施形態は、添付の実用新案登録請求の範囲の精神及び意味の範囲内に属するすべての変化、修正及び等価物を含む。
【００２２】
図１〜３及び図７に示すように、園芸棒であって、Ｕ字管である金属管１と、金属管１の外壁を被覆するプラスチック層２を備えている。
金属管１の第１端部及び第２端部のそれぞれには、雄型頭部３が配置されている。或いは、
図６に示すように、金属管１の第１端部には雄型頭部３が配置され、金属管１の第２端部には雌型頭部４が配置されている。或いは、
図４に示すように、金属管１の第１端部及び第２端部のそれぞれには、雌型頭部４が配置されている。
【００２３】
雌型頭部４は、金属管１と同軸であり、内壁に雌ネジを有する中空円柱形の第１接続部４１、及び、第１接続部４１と固定接続された嵌合カバー４２を含む。
【００２４】
雄型頭部３は、金属管１と同軸であり、雌ネジに適合する雄ネジを外壁に有する円柱形の第２接続部、及び、雄ネジ３２の末端に位置し、第２接続部と固定接続された嵌合ヘッド３１を含む。ここでの末端は、雄ネジ３２の金属管１に近い一端を示す。
【００２５】
雄型頭部３と雌型頭部４とが接続されると、嵌合ヘッド３１と嵌合カバー４２とは締まり嵌めによって嵌合される。
【００２６】
このような園芸棒によれば、Ｕ字管の作用によって、２つの独立した園芸棒の間の繋がりが確立され、これにより、互いの接続強度が強化される。また、弓形の端部によって、担持力が向上する。
【００２７】
締まり嵌めという設計により、接続強度が強化され、接続箇所でのぐらつき現象がある程度回避される。
【００２８】
ここで、嵌合カバー４２と第１接続部４１とは、一体化されたプラスチック部品であり、嵌合ヘッド３１と第２接続部とも一体化されたプラスチック部品である。
【００２９】
ユーザは、長さに対する自身のニーズに応じて、まっすぐな園芸棒の雄型頭部３を園芸棒の雌型頭部４にねじ込めば、２本の棒を接続することができる。
【００３０】
嵌合カバー４２の外壁は、傾斜斜面４２１を有する。傾斜斜面４２１を設けることにより、嵌合カバー４２が嵌合ヘッド３１によって押し付けられると、傾斜斜面４２１も同時に押し付けられ、嵌合ヘッド３１を被覆する効果をある程度果たしている。嵌合カバー４２の内部空間も、円柱体である嵌合ヘッド３１を収容するための円柱体である。嵌合ヘッド３１と嵌合カバー４２とは締まり嵌めによって嵌合される。
【００３１】
嵌合ヘッド３１は円柱体である。雄ネジ３２のピッチは、第２接続部の直径の２／３であり、雄ネジ３２の縦断面が台形であり、台形の下底辺３２１の長さは、第２接続部の直径の１／４である。
【００３２】
雌型頭部４は、第１接続部４１と固定された第１固定カバー４３をさらに含む。第１固定カバー４３は、第１端部を被覆し、且つ第１端部の端部口を封鎖している。第１固定カバー４３と第１端部とは、プラスチック製であり、且つ一体化されている。第１固定カバー４３と第１端部とは、プラスチック製であり、且つ一体化されている。
【００３３】
雄型頭部３は、嵌合ヘッド３１と固定された第２固定カバー３４をさらに含む。第２固定カバー３４は、第２端部を被覆し、且つ前記第２端部の端部口を封鎖している。第２固定カバー３４と第２端部とは、プラスチック製であり、且つ一体化されている。
【００３４】
第２接続部の端部は、円錐形となっている。円錐形端部ヘッド３３によって、第２接続部が第１接続部４１内に挿入されやすくなる。また、円錐形端部ヘッド３３は、土にも挿入しやすくなる。
【００３５】
プラスチック層２の外壁には、軸方向に沿って分布する複数の凸部５をそれぞれ含む少なくとも１つの補助リブが設けられている。凸部５により、蔓植物及びクライミング植物が補助リブでの付着力が向上し、蔓植物及びクライミング植物が登りやすくなり、雨風に打たれても農作物が滑りにくくなる。
【００３６】
複数の凸部５は、プラスチック層２の軸方向に沿って螺旋状に分布している。なお、軸方向に沿ってまっすぐに分布してもよい。
【００３７】
また、一例において、プラスチック層２の外径は、１０ミリメートル、２０ミリメートル又は３０ミリメートルであり、金属管１の長さは、１メートル、２メートル、３メートル又は４メートルである。
【００３８】
本明細書の記述において、「１つの実施形態」、「一部の実施形態」、「例」、「具体的な例」、又は「一例」等の参考用語は、当該実施形態又は例に記載の具体的な特徴、構造、材料又は特質が、本考案の少なくとも１つの実施形態又は例に含まれることを意味する。本明細書において、上記の用語の例示的な表現は、必ずしも同じ実施形態又は例を示すものではない。また、記載の具体的な特徴、構造、材料又は特質について、任意の１つ又は複数の、実施形態又は例において適切な方法で組み合わせることができる。
【００３９】
上述した本考案に係る好ましい実施形態を啓示として、上記の説明内容によって、当業者は、本考案の技術的思想の範囲から逸脱しないかぎり、様々な変更や修正を行うことができる。本考案の技術的範囲は、明細書に記載されている内容に限定されず、実用新案登録請求の範囲によって技術的範囲を確定すべきである。
【符号の説明】
【００４０】
１  金属管
２  プラスチック層
３  雄型頭部
３１  嵌合ヘッド
３２  雄ネジ
３２１  下底辺
３３  円錐形端部ヘッド
３４  第２固定カバー
４  雌型頭部
４１  第１接続部
４２  嵌合カバー
４２１  傾斜斜面
４３  第１固定カバー
５  凸部
【図１】
0003220274.tif 000003
【図２】
0003220274.tif 000004
【図３】
0003220274.tif 000005
【図４】
0003220274.tif 000006
【図５】
0003220274.tif 000007
【図６】
0003220274.tif 000008
【図７】
0003220274.tif 000009